(57)【要約】【課題】  ロック機構のロック部材を板本体の上方からロック・ロック解除ができるようにする。【解決手段】  板本体３と、この板本体３の前後端部に設けられていて横架材Ｅに上側から掛合するフック部材４と、板本体３の前後端部に設けられていて横架材Ｅに掛合したフック部材４の離脱を規制するロック機構５とを有する。前記ロック機構５は板本体３の前後端部の下部に固定の支持体７と、この支持体７に支持されていて横架材Ｅに下側から係合する係合位置Ｗと横架材Ｅから離れる退避位置Ｔとに移動可能なロック部材９と、このロック部材９を板本体３の上方から移動操作可能な操作具１０とを有する。【選択図】図２
2019143297.tif 000002
【特許請求の範囲】
【請求項１】
板本体（３）と、この板本体（３）の前後端部に設けられていて横架材（Ｅ）に上側から掛合するフック部材（４）と、板本体（３）の前後端部に設けられていて横架材（Ｅ）に掛合したフック部材（４）の離脱を規制するロック機構（５）とを有する足場板であって、
前記ロック機構（５）は板本体（３）の前後端部の下部に固定の支持体（７）と、この支持体（７）に支持されていて横架材（Ｅ）に下側から係合する係合位置（Ｗ）と横架材（Ｅ）から離れる退避位置（Ｔ）とに移動可能なロック部材（９）と、このロック部材（９）を板本体（３）の上方から移動操作可能な操作具（１０）とを有することを特徴とする足場板。
【請求項２】
前記ロック機構（５）の操作具（１０）は、ロック部材（９）から立設されていて支持体（７）に縦軸廻り回動可能に支持された縦連結部材（８）と、この縦連結部材（８）の上部に設けられていて板本体（３）に形成した開口（３ａ）から上方へ露出した操作部材（１１）とを有することを特徴とする請求項１に記載の足場板。
【請求項３】
前記フック部材（４）は板本体（３）の端部にフック部材（４）の略１個分のフック間隔空間（α）をおいて複数個設けられており、
前記ロック機構（５）は、板本体（３）の対角線近傍の前後２位置にフック間隔空間（α）に対応して配置されていることを特徴とする請求項１又は２に記載に記載の足場板。
【請求項４】
前記板本体（３）は板材（１３）の前後端に端部材（１４）が設けられ、この端部材（１４）の外面側に前記フック部材（４）が固定され、端部材（１４）の内面側に前記支持体（７）が固定され、かつ端部材（１４）に前記ロック部材（９）を内面側から外面側へ突出させる挿通穴（１４ａ）が形成されていることを特徴とする請求項１〜３のいずれか１項に記載の足場板。
【請求項５】
前記板本体（３）は板材（１３）の前後端に端部材（１４）が設けられ、この端部材（１４）の外面側に係止レール（１６）が左右方向に長く形成され、上部に外方突出状の取付部（１７）が形成されており、
前記フック部材（４）は板本体（３）側の端部に前記係止レール（１６）と係合して離隔が規制される係合部（４ａ）が形成され、前記端部の上部に前記取付部（１７）に固定される固定部（４ｂ）が形成されていることを特徴とする請求項１〜４のいずれか１項に記載の足場板。
【請求項６】
前記板本体（３）の前後端部には、左右一方端からフック部材（４）とフック部材（４）の略１個分のフック間隔空間（α）とが交互に複数個設けられており、左右他端側には、縦架材（Ｆ）を配置可能にする架材挿通空間（β）が形成されていることを特徴とする請求項１〜５のいずれか１項に記載の足場板。
【請求項７】
前記板本体（３）は上面が平坦な２枚の細板（Ｐ）を併設した板材（１３）と、板材（１３）の２枚の細板（Ｐ）の一端と同時に連結される第１端部材（１４Ａ）と、板材（１３）の２枚の細板の他端と同時に連結される第２端部材（１４Ｂ）とで形成されており、
前記第１端部材（１４Ａ）には、一方端からフック間隔空間（α）とフック部材（４）とが交互に複数個設けられており、他端側には架材挿通空間（β）が形成されており、
前記第２端部材（１４Ｂ）には、一方端からフック部材（４）とフック間隔空間（α）とが交互に複数個設けられており、他端側にはフック間隔空間（α）に続いて架材挿通空間（β）が形成されていることを特徴とする請求項６に記載の足場板。
【発明の詳細な説明】
【技術分野】
【０００１】
本発明は、仮設スタンド等の足場に適用される足場板に関する。
【背景技術】
【０００２】
仮設スタンドは複数本の縦架材に横架材を連結し、前後横架材に足場板の前後端を係合して載置して、人が載り上がり、往来可能な足場を構成する。
この足場板の従来技術として、特許文献１に開示されている枠組み足場用足場板があり、この足場板は、水平な板本体と、板本体の前後両端に設けた複数のフックと、板本体の左右両端に起立して着脱自在に設けた巾木と、各フックの下方に出入自在に設けたストッパー機構とを備え、前記ストッパー機構は中空なガイドと、ガイド内にスライド自在に挿入したストッパーと、ガイドとストッパーとの間に介在してストッパーをフック方向に付勢する弾性部材と、ガイドの上部又は側部に設けられ且つ上記弾性部材に抗してストッパーを所定の位置に保持する位置決め部材とからなっている（請求項１）。
【先行技術文献】
【特許文献】
【０００３】
【特許文献１】特開平８−２８４４０２号公報
【発明の概要】
【発明が解決しようとする課題】
【０００４】
前記従来技術は、ストッパーでフックの離脱を防止できるが、ストッパーを操作する把手部はストッパーの後端下面側に形成されており、足場板の下方から、足場板の着脱操作をしなければならなく、足場組立作業がやり難いものになっている。
また、従来技術は、ストッパー機構をフックに対応して設けているので、１枚の足場板の四隅にストッパー機構を必要とし、コスト高になっている。
【０００５】
さらに、従来技術は巾木を有するので、上下階に渡る長さの建て枠材とも連結することが可能であるが、仮設スタンドでは縦架材の上端が足場板の上面と略等高になるので、巾木が使用できず、足場板を縦架材に係合させることが困難になる。
本発明は、このような従来技術の問題点を解決できるようにした足場板を提供することを目的とする。
【０００６】
本発明は、ロック機構に板本体の上方から移動操作可能な操作具を設けることにより、ロック部材を板本体の上方からロック・ロック解除ができる足場板を提供することを目的とする。
また、本発明は、ロック機構をフック間隔空間に対応して配置することにより、前後各１組のロック機構で装着できる足場板を提供することを目的とする。
【０００７】
さらに、本発明は、板本体の前後端部に縦架材を配置可能にする架材挿通空間を形成することにより、板本体を縦架材に対して係合できるようにした足場板を提供することを目的とする。
【課題を解決するための手段】
【０００８】
本発明における課題解決のための具体的手段は、次の通りである。
第１に、板本体３と、この板本体３の前後端部に設けられていて横架材Ｅに上側から掛合するフック部材４と、板本体３の前後端部に設けられていて横架材Ｅに掛合したフック部材４の離脱を規制するロック機構５とを有する足場板であって、
前記ロック機構５は板本体３の前後端部の下部に固定の支持体７と、この支持体７に支持されていて横架材Ｅに下側から係合する係合位置Ｗと横架材Ｅから離れる退避位置Ｔとに移動可能なロック部材９と、このロック部材９を板本体３の上方から移動操作可能な操作具１０とを有することを特徴とする。
【０００９】
第２に、前記ロック機構５の操作具１０は、ロック部材９から立設されていて支持体７に縦軸廻り回動可能に支持された縦連結部材８と、この縦連結部材８の上部に設けられていて板本体３に形成した開口３ａから上方へ露出した操作部材１１とを有することを特徴とする。
第３に、前記フック部材４は板本体３の端部にフック部材４の略１個分のフック間隔空間αをおいて複数個設けられており、
前記ロック機構５は、板本体３の対角線近傍の前後２位置にフック間隔空間αに対応して配置されていることを特徴とする。
【００１０】
第４に、前記板本体３は板材１３の前後端に端部材１４が設けられ、この端部材１４の外面側に前記フック部材４が固定され、端部材１４の内面側に前記支持体７が固定され、かつ端部材１４に前記ロック部材９を内面側から外面側へ突出させる挿通穴１４ａが形成されていることを特徴とする。
第５に、前記板本体３は板材１３の前後端に端部材１４が設けられ、この端部材１４の外面側に係止レール１６が左右方向に長く形成され、上部に外方突出状の取付部１７が形成されており、
前記フック部材４は板本体３側の端部に前記係止レール１６と係合して離隔が規制される係合部４ａが形成され、前記端部の上部に前記取付部１７に固定される固定部４ｂが形成されていることを特徴とする。
【００１１】
第６に、前記板本体３の前後端部には、左右一方端からフック部材４とフック部材４の略１個分のフック間隔空間αとが交互に複数個設けられており、左右他端側には、縦架材Ｆを配置可能にする架材挿通空間βが形成されていることを特徴とする。
第７に、前記板本体３は上面が平坦な２枚の細板Ｐを併設した板材１３と、板材１３の２枚の細板Ｐの一端と同時に連結される第１端部材１４Ａと、板材１３の２枚の細板の他端と同時に連結される第２端部材１４Ｂとで形成されており、
前記第１端部材１４Ａには、一方端からフック間隔空間αとフック部材４とが交互に複数個設けられており、他端側には架材挿通空間βが形成されており、
前記第２端部材１４Ｂには、一方端からフック部材４とフック間隔空間αとが交互に複数個設けられており、他端側にはフック間隔空間αに続いて架材挿通空間βが形成されていることを特徴とする。
【発明の効果】
【００１２】
本発明によれば、ロック機構に板本体の上方から移動操作可能な操作具を設けることにより、ロック部材を板本体の上方からロック・ロック解除ができる。
即ち、請求項１に係る発明は、ロック機構５はロック部材９を板本体３の上方から移動操作可能な操作具１０を有するので、板本体３の上方からロック・ロック解除ができ、足場組立作業がやり易くなる。
【００１３】
請求項２に係る発明は、ロック機構５の操作具１０は板本体３に形成した開口３ａから上方へ露出した操作部材１１を有するので、板本体３の上方から操作部材１１を回動するだけで、ロック機構５のロック・ロック解除ができる。
請求項３に係る発明は、ロック機構５は板本体３の対角線近傍の前後２位置にフック間隔空間αに対応して配置されているので、前後各１組で足場板の装着ができる。
【００１４】
請求項４に係る発明は、板材１３の前後端に設けた端部材１４に、フック部材４もロック機構５も固定でき、かつ端部材１４に形成した挿通穴１４ａでロック部材９に掛かる荷重を支持できる。
請求項５に係る発明は、端部材１４の外面側に係止レール１６を形成しているので、端部材１４の強度が向上され、その係止レール１６にフック部材４を係合しかつ取付部１７で固定しているので、フック部材４の耐荷重を大きくとることができる。
【００１５】
請求項６に係る発明は、２枚の足場板１を前後にしてフック部材４を組み合わせて配置することができ、そのように配置しても架材挿通空間βを形成でき、２枚の足場板１を縦架材Ｆと係合させることができる。
請求項７に係る発明は、２枚の細板Ｐを併設して第１端部材１４Ａ及び第２端部材１４Ｂで連結することにより板本体３が形成でき、第１端部材１４Ａに一方端からフック間隔空間αとフック部材４とを交互に複数個設け、かつ他端側に架材挿通空間βを形成するとともに、第２端部材１４Ｂに一方端からフック部材４とフック間隔空間αとを交互に複数個設け、かつ他端側にはフック間隔空間αに続いて架材挿通空間βを形成しているので、
足場板１を縦架材Ｆに係合させる構成を簡略化できる。
【図面の簡単な説明】
【００１６】
【図１】本発明の足場板を組み立てた実施形態を示しており、（１Ａ）は平面図であり、（１Ｂ）は正面図である。
【図２】図１の（１Ａ）のＸ−Ｘ線断面図である。
【図３】図１の（１Ａ）のＹ矢視図である。
【図４】足場板の一端部の上面斜視図である。
【図５】足場板の一端部の下面斜視図である。
【図６】ロック機構の係合構造を示す斜視図である。
【図７】ロック機構の斜視図である。
【図８】ロック機構の平面図である。
【図９】仮設スタンドの側面図である。
【発明を実施するための形態】
【００１７】
以下、本発明の実施の形態を図面に基づいて説明する。
図１、９において、仮設スタンド３０は上下２段のスタンドを備えており、各スタンドはコーナ支柱となる複数本の縦架材Ｆを、前後方向（長方形の足場板１の長手方向）及び左右方向に間隔をおいた複数本の横架材Ｅで連結し、前後横架材Ｅ間に２枚の足場板１を左右並列させて架設し、１本の中間横架材Ｅに前後の足場板１を共通架設している。縦架材Ｆ及び横架材Ｅはパイプ材で形成されている。
【００１８】
図１〜８において、足場板１は、長方形の板本体３と、この板本体３の長手方向の前後端部に設けられていて横架材Ｅに上側から掛合するフック部材４と、板本体３の前後端部に設けられていて横架材Ｅに掛合したフック部材４の離脱を規制するロック機構５とを有する。
前記板本体３は、上面が平坦な２枚の細板Ｐを左右併設した板材１３と、板材１３の２枚の細板Ｐの前後一端と同時に連結される第１端部材１４Ａと、板材１３の２枚の細板の前後他端と同時に連結される第２端部材１４Ｂとで形成されている。
【００１９】
前記板材１３は１枚の幅広の板だけで形成してもよく、平坦な上面を形成する天板部１３Ｕの下面に角筒状のリブ部１３Ｌを前後方向（長手方向）に沿って一体成形しており、リブ部１３Ｌの下面に横断するように２本の下連結部材１３Ｄが連結されている。
前記板材１３はアルミ押し出し成形品であり、端部はズン切り状態であり、この端部を隠すように端部材１４が嵌合されている。この端部材１４は第１端部材１４Ａと第２端部材１４Ｂとでフック部材４の配置は異なるが、第１端部材１４Ａは１枚の板材１３の前部に配置されかつ併設の板材１３の後部に配置され、第２端部材１４Ｂは１枚の板材１３の後部に配置されかつ併設の板材１３の前部に配置されている。
【００２０】
図２、４、５において、各端部材１４は、板材１３の端部に上下から嵌合する板材嵌合部１４Ｋと、この板材嵌合部１４Ｋと背中合わせのフック装着部１４Ｍと、このフック装着部１４Ｍから下方に延設されたロック装着部１４Ｒとが一体成形されている。
前記フック装着部１４Ｍは、端部材１４の外面側に上下方向で対向する一対の係止レール１６が左右方向に長く形成され、上部に外方突出状の取付部１７が一体形成されている。
【００２１】
前記フック部材４は下面側に横架材Ｅに上側から掛合するフック凹部４Ｓが形成され、板本体３側の端部に端部材１４の係止レール１６と係合して離隔が規制される上下一対の係合部４ａが形成され、前記端部の上部に端部材１４の取付部１７にリベット等を介して固定される固定部４ｂが形成されている。フック部材４のフック凹部４Ｓと上面との間は空洞になっている。
【００２２】
前記端部材１４及びフック部材４はアルミ押し出し成形品であり、上下係止レール１６は端部材１４の全長に亘り形成され、フック部材４は端部材１４の端部から上下係合部４ａが係止レール１６に係合され、摺動して取付部１７に対応する位置まで移動される。
端部材１４の取付部１７は間隔をおいて複数形成され、その取付部１７に装着されるフック部材４は、フック部材４の略１個分のフック間隔空間αをおいて複数個設けられる。
【００２３】
１枚の板本体３の前後端部に配置されるフック部材４は前後対称ではなく、左右一方端からフック部材４とフック部材４の略１個分のフック間隔空間αとが交互に複数組（実施形態では３組）設けられており、左右他端側には、縦架材Ｆを配置可能にする架材挿通空間βが形成されている。
そして、図１の（１Ａ）の左下の板本体３を例にとると、前部の第１端部材１４Ａには、一方端からフック間隔空間αとフック部材４とが交互に形成され、かつ他端側には架材挿通空間βが形成されており、後部の第２端部材１４Ｂには、一方端からフック部材４とフック間隔空間αとが交互に複数個設けられており、かつ他端側にはフック間隔空間αに続いて架材挿通空間βが形成されている。
【００２４】
また、１枚の板本体３とそれに前後連設される板本体３との関係は、第１の板本体３の第２端部材１４Ｂのフック間隔空間αに第２の板本体３の第１端部材１４Ａに固定のフック部材４が入り込み、両者のフック部材４が噛み合って隙間のない連続面を形成する。但し、この連続面の端部には架材挿通空間βが残る。
この架材挿通空間βは縦架材Ｆのパイプ直径の略半分であり、前記第２の板本体３の端部のフック部材４が係合当接することにより、横架材Ｅに対する第１、第２の板本体３の位置ズレが規制される。
【００２５】
図１の（１Ａ）に示した左右２枚併設の足場板１にさらに１組追加併設する場合は、２組の足場板１の架材挿通空間βは互いに対向し、１本の縦架材Ｆを共有して係合することになる。
図１〜８において、前記ロック機構５は、四角形状の板本体３の対角線上近傍の前後２位置にフック間隔空間αに対応して配置されている。即ち、板本体３の左前部と右後部又は右前部と左後部の２個所にロック機構５は配置されている。
【００２６】
このロック機構５は板本体３の前後端部の下部に固定の支持体７と、この支持体７に支持されていて横架材Ｅに下側から係合する係合位置Ｗと横架材Ｅから離れる退避位置Ｔとに移動可能なロック部材９と、このロック部材９を板本体３の上方から移動操作可能な操作具１０とを有する。
前記ロック機構５の操作具１０は、ロック部材９の長手方向中途部から立設されていて支持体７に縦軸廻り回動可能に支持された縦連結部材（回動軸）８と、この縦連結部材８の上部に設けられていて板本体３に形成した開口３ａから上方へ露出した操作部材１１とを有する。
【００２７】
前記支持体７は、板材をコ字形状に折曲したものであり、中間部分が端部材１４の略垂直な固定板部であり、ロック装着部１４Ｒにリベット等により固着されており、上下の板部に縦軸貫通穴７ａが形成され、下板部の自由端側は下向きに屈曲され、かつ自由端に平面視略Ｖ字切欠状の位置設定部７ｂとその側方の凸形状の移動規制部７ｃとが形成されている。
【００２８】
前記ロック部材９は丸棒又はピンで形成されて縦連結部材８の下端に固着されており、先端が斜め上向きの傾斜面９ａが形成され、この傾斜面９ａが横架材Ｅに下側から当接係合可能であり、ロック部材９の後部は前記移動規制部７ｃを乗り越えて略Ｖ字切欠状の位置設定部７ｂと弾力的に係脱自在であり、位置設定部７ｂに係合すると移動規制部７ｃによって縦連結部材８廻りの回動が規制される。
【００２９】
縦連結部材８は支持体７に貫通してナット等により上下位置が設定されており、その上端に操作部材１１が嵌合してピン止めされている。
操作部材１１は平面視略円形の胴部１１ａの上部に、胴部１１ａより小径の上部１１ｂが形成され、この上部１１ｂに回動工具が係合可能な縦割り溝１１ｃが形成されている。
ロック機構５は板本体３に対しては、リブ部１３Ｌの間で天板部１３Ｕの下方に配置されており、操作部材１１は胴部１１ａが天板部１３Ｕにより下方に位置し、上部１１ｂが天板部１３Ｕに形成した開口３ａ内に位置し、縦割り溝１１ｃが上方から視認できるように露出している。
【００３０】
従って、操作部材１１は足場板１の上方から縦割り溝１１ｃにドライバ等の回動工具を係合することにより回動操作することができ、操作部材１１の回動により縦連結部材８及
びロック部材９が縦軸廻りに回動して、ロック部材９の先端が横架材Ｅから外れた退避位置Ｔ（図６、８に仮想線で示す。）から、傾斜面９ａが横架材Ｅに下側から当接係合する係合位置Ｗ（図６〜８に実線で示す。）まで移動させることができる。
【００３１】
ロック部材９は係合位置Ｗのとき支持体７の平面視略Ｖ字切欠状の位置設定部７ｂと係合してその位置が確保され、ロック部材９が位置設定部７ｂの側方の移動規制部７ｃを乗り越える抵抗により、係合位置Ｗから退避位置Ｔへの安易な移動が規制され、ロック部材９は横架材Ｅに掛合したフック部材４の離脱を阻止するロック状態に保持される。
移動規制部７ｃの抵抗に抗してロック部材９を係合位置Ｗから退避位置Ｔへ移動すると、ロック部材９は横架材Ｅに掛合したフック部材４の離脱を許容するロック解除状態になる。
【００３２】
前記ロック部材９は係合位置Ｗのときも退避位置Ｔのときも端部材１４のロック装着部１４Ｒよりもフック部材４側に突出しており、そのためにロック装着部１４Ｒにはロック部材９を内面側から外面側へ突出させる挿通穴１４ａが形成されている。この挿通穴１４ａは水平方向に長い長孔であり、この挿通穴１４ａの壁面にロック部材９が当接することにより、ロック部材９が横架材Ｅから受ける負荷を支持する。
【００３３】
前記仮設スタンド３０の足場板１は、前後横架材Ｅの上に載置して、前後のフック部材４を掛合し、板本体３の上方から操作具１０を回動操作して、ロック部材９を退避位置Ｔから係合位置Ｗへ移動して前後のロック機構５をロックする。１枚の足場板１を基準にして、同じ前後横架材Ｅの上に併設する足場板１を配置する。また、１枚の基準足場板１の前又は後に連設する足場板１を配置し、基準足場板１のフック部材４間のフック間隔空間αに連設足場板１のフック部材４を配置する。複数枚の足場板１の併設、連設を行って、所要面積のスタンドを構築する。
【００３４】
仮設スタンド３０を解体する場合は、足場板１の上に乗って、隣の足場板１の操作具１０を上方から回動操作して、２つのロック機構５をロック解除すれば、足場板１を前後横架材Ｅから離脱することができる。
なお、本発明は前記実施形態における各部材の形状及びそれぞれの前後・左右・上下の位置関係は、図１〜９に示すように構成することが最良である。しかし、前記実施形態に限定されるものではなく、部材、構成を種々変形したり、組み合わせを変更したりすることもできる。
【００３５】
例えば、ロック機構５は、支持体７に縦連結部材８を前後移動可能にする前後長孔を形成し、天板部１３Ｕの開口３ａも前後長孔に形成し、操作部材１１を縦割り溝１１ｃにドライバ等の工具を掛合して前後に移動できるように構成してもよい。
ロック機構５の支持体７は、板材１３の前後端に固定してもよい。
足場板１は作業員の足場のための枠組み足場用足場板としても利用できる。
【符号の説明】
【００３６】
１      足場板
３      板本体
３ａ    開口
４      フック部材
４ａ    係合部
４ｂ    固定部
５      ロック機構
７      支持体
８      縦連結部材
９      ロック部材
１０    操作具
１１    操作部材
１３    板材
１４    端部材
１４Ａ  第１端部材
１４Ｂ  第２端部材
１４ａ  挿通穴
１６    係止レール
１７    取付部
３０    仮設スタンド
α      フック間隔空間
β      架材挿通空間
Ｅ      横架材
Ｆ      縦架材
【図１】
2019143297.tif 000003
【図２】
2019143297.tif 000004
【図３】
2019143297.tif 000005
【図４】
2019143297.tif 000006
【図５】
2019143297.tif 000007
【図６】
2019143297.tif 000008
【図７】
2019143297.tif 000009
【図８】
2019143297.tif 000010
【図９】
2019143297.tif 000011